(57)【要約】      （修正有）【課題】すりおろし器を用意することなくしょうが湯を作製でき、使用後の洗浄も楽に行えるようにするすりおろし機能付飲料用容器を提供する。【解決手段】ポット本体１の蓋２の下面に多数の小突起２ａを形成する。ポット本体１から蓋２を取り外し、その蓋２の小突起２ａにしょうがを押し付けてすりおろし、そのすりおろしたしょうがを湯とともにポット本体１に入れ、湯を攪拌してしょうが湯を作製する。したがって、すりおろし器を用意することなくしょうが湯を作製でき、しかもすりおろし時に手や指の動きを邪魔しないから作業が容易になる。また、使用後も蓋２にはスポンジやブラシが隅々まで届きやすくて楽に洗浄できる。【選択図】図１
0003164422.tif 000002
【実用新案登録請求の範囲】
【請求項１】
蓋付き飲料用容器の蓋の下面にすりおろし用の多数の小突起を形成した、すりおろし機能付き飲料用容器。
【請求項２】
飲料用容器がポット又はコップである、請求項１記載のすりおろし機能付き飲料用容器。
【請求項３】
蓋の上面を平らに形成し、その蓋の側面に蓋用取っ手を形成した、請求項１又は２記載のすりおろし機能付き飲料用容器。
【請求項４】
飲料用容器に容器用取っ手を備えたものにおいて、その容器用取っ手の上端部に蓋用取っ手の受け部を形成した、請求項１〜３いずれか記載のすりおろし機能付き飲料用容器。
【請求項５】
容器用取っ手の受け部を凸状に形成し、蓋用取っ手の上面を湾曲状に形成した、請求項４記載のすりおろし機能付き飲料用容器。
【請求項６】
飲料用容器内に濾過用ネットを脱着可能に取り付けた、請求項１〜５いずれか記載のすりおろし機能付き飲料用容器。
【請求項７】
蓋の小突起がしょうがのすりおろしに使用されるものである、請求項１〜６いずれか記載のすりおろし機能付き飲料用容器。
【考案の詳細な説明】
【技術分野】
【０００１】
本考案は、しょうが・わさび・人参・大根・長芋・岩塩・固形の調味材等をすりおろし、これを容器に貯えた飲料水・湯・酒・液状調味料・汁・しょうゆ・スープ・コーヒー・茶等の飲料物に混入させることができる、すりおろし機能を備えた飲料用容器に関する。
【背景技術】
【０００２】
従来、すりおろしたしょうがを湯に混ぜてしょうが湯を作製する際、容器以外にすりおろし器を別途用意する必要があり、面倒であった。
【０００３】
これに対し、容器の内底にすりおろし用の小突起を形成した急須が特許文献１で提案されている。しかし、すりおろし時に指を容器の奥まで差し込む必要があって力を入れにくく、作業が非常に困難であった。また、使用後の洗浄もスポンジやブラシが内底に届きにくく、隅々まで洗いにくいものであった。
【先行技術文献】
【特許文献】
【０００４】
【特許文献１】特開平９−１０１１１号公報
【考案の概要】
【考案が解決しようとする課題】
【０００５】
本考案が解決しようとする課題は、従来のこれらの問題点を解消し、すりおろし器を用意することなくしょうが湯を作製でき、使用後の洗浄も楽に行えるようにすることにある。
【課題を解決するための手段】
【０００６】
かかる課題を解決した本考案の構成は、
１）  蓋付き飲料用容器の蓋の下面にすりおろし用の多数の小突起を形成した、すりおろし機能付き飲料用容器
２）  飲料用容器がポット又はコップである、前記１）記載のすりおろし機能付き飲料用容器
３）  蓋の上面を平らに形成し、その蓋の側面に蓋用取っ手を形成した、前記１）又は２）記載のすりおろし機能付き飲料用容器
４）  飲料用容器に容器用取っ手を備えたものにおいて、その容器用取っ手の上端部に蓋用取っ手の受け部を形成した、前記１）〜３）いずれか記載のすりおろし機能付き飲料用容器
５）  容器用取っ手の受け部を凸状に形成し、蓋用取っ手の上面を湾曲状に形成した、前記４）記載のすりおろし機能付き飲料用容器
６）  飲料用容器内に濾過用ネットを脱着可能に取り付けた、前記１）〜５）いずれか記載のすりおろし機能付き飲料用容器
７）  蓋の小突起がしょうがのすりおろしに使用されるものである、前記１）〜６）いずれか記載のすりおろし機能付き飲料用容器
にある。
【考案の効果】
【０００７】
本考案の前記１）及び２）記載の構成によれば、飲料用容器から蓋を取り外し、その蓋の小突起にしょうがを押し付けてすりおろし、そのすりおろしたしょうがを湯とともに飲料用容器に入れ、湯を攪拌してしょうが湯を作製する。したがって、すりおろし器を用意することなくしょうが湯を作製でき、しかもすりおろし時に手や指の動きを邪魔しないから作業が容易になる。また、使用後も蓋にはスポンジやブラシが隅々まで届きやすくて楽に洗浄できる。
【０００８】
本考案の前記３）記載の構成によれば、蓋をテーブル等に置いた際に安定し、すりおろす際に力を入れやすくなる。また、すりおろし時に蓋が滑って動く場合、蓋を押えている手の指を蓋用取っ手に掛けることで静止できる。
【０００９】
本考案の前記４）記載の構成によれば、蓋を閉めて容器用取っ手を持って注ぐ際、蓋用取っ手を親指で押えると、その蓋用取っ手が容器用取っ手の受け部に当接して支持される。したがって、従来では急須で注ぐ際、もう片手で蓋を支えていたが、注ぎと蓋の支えが片手でできるようになる。
【００１０】
本考案の前記５）記載の構成によれば、凸状の受け部が滑り止めとして作用して蓋がずれにくくなり、湾曲状の蓋用取っ手には親指を掛けやすくなって蓋の支えが安定する。
【００１１】
本考案の前記６）記載の構成によれば、濾過用ネットはしょうが湯を作製するとき以外は取り付けておき、普段のお茶用の急須としても使用できる。また、すりおろしたしょうがの濾過にも使用できる。
【図面の簡単な説明】
【００１２】
【図１】実施例１のすりおろし機能付きポットの一部切欠き側面図である。
【図２】実施例１の蓋の下面側の斜視図である。
【図３】実施例１のしょうが湯の注ぎ出しを示す説明図である。
【図４】実施例２のすりおろし機能付きコップの一部切欠き側面図である。
【図５】実施例２の他の例のすりおろし機能付きコップの一部切欠き側面図である。
【考案を実施するための形態】
【００１３】
以下、本考案を実施するための形態を各実施例と図面に基づいて具体的に説明する。
【実施例】
【００１４】
（実施例１）図１〜３に示す実施例１はポットの例である。図１は実施例１のすりおろし機能付きポットの一部切欠き側面図、図２は実施例１の蓋の下面側の斜視図、図３は実施例１のしょうが湯の注ぎ出しを示す説明図である。図中、１はポット本体、１ａは容器用取っ手、１ｂは受け部、１ｃは注ぎ口、２は蓋、２ａは小突起、２ｂは蓋用取っ手、３は濾過用ネットである。
【００１５】
図１，２に示すように、ポット本体１は陶磁器製で、側面に容器用取っ手１ａを下部から上端に渡って形成し、その容器用取っ手１ａの上端部に受け部１ｂを凸状に形成し、反対側の側面に注ぎ口１ｃを形成している。蓋２は陶磁器製で、上面を平らに形成し、下面にすりおろし用の多数の小突起２ａを形成し、上面が湾曲状の蓋用取っ手２ｂを側面に形成している。濾過用ネット３はステンレス製で、ポット本体１内に脱着可能に取り付けている。蓋用取っ手２ｂには滑り止めの小突起を形成してもよい。
【００１６】
実施例１では、ポット本体１から蓋２と濾過用ネット３を取り外し、その蓋２を反転させてテーブル（図示せず）に置き、その小突起２ａにしょうがを押し付けてすりおろす。このとき、蓋２は平らに形成されているからテーブル上で安定し、すりおろす際に力を入れやすくて短時間にすりおろしできる。すりおろし時に蓋２が滑って動く場合、蓋２を押えている手の指を蓋用取っ手２ｂに掛けて静止させる。そのすりおろしたしょうがを湯とともにポット本体１に入れ、湯を攪拌してしょうが湯が作製される。
【００１７】
しょうが湯が出来上がると、蓋２を閉め、容器用取っ手１ａを持ってコップ（図示せず）に注いで飲用する。このとき、図３に示すように、蓋用取っ手２ｂを親指で押えると、その蓋用取っ手２ｂが容器用取っ手１ａの受け部１ｂに当接して支持されるから、もう片手で蓋２を支える必要がなく、注ぎと蓋２の支えが片手でできて便利である。また、凸状の受け部１ｂが滑り止めとして作用して蓋２がずれにくくなり、湾曲状の蓋用取っ手２ｂには親指を掛けやすくて蓋２の支えが安定する。
【００１８】
このように、実施例１によれば、すりおろし器を用意することなくしょうが湯を短時間に作製でき、しかも手や指の動きを邪魔しないから作業が容易になる。また、使用後も蓋２にはスポンジやブラシが隅々まで届きやすくて楽に洗浄できる。なお、ポット本体１に濾過用ネット３を取り付けて、すりおろしたしょうがを濾過してもよい。
【００１９】
（実施例２）図４に示す実施例２は蓋付きコップの例である。図４は実施例２のすりおろし機能付きコップの一部切欠き側面図である。図中、４はコップ、４ａは容器用取っ手、５は蓋、５ａは小突起である。
【００２０】
図４に示すように、コップ４は陶磁器製で、側面に容器用取っ手４ａを形成している。蓋５はプラスチック製又は金属製で、上面を平らに形成し、下面にすりおろし用の多数の小突起５ａを形成している。
【００２１】
実施例２では、コップ４から蓋５を取り外し、その蓋５を反転させてテーブル（図示せず）に置き、その小突起５ａにしょうがを押し付けてすりおろす。そのすりおろしたしょうがを湯とともにコップ４に入れ、湯を攪拌してしょうが湯が作製され、そのまま飲用する。なお、コップ４としてマグカップの他、湯飲み茶碗にも応用できる。また、コップ４に濾過用ネット３を脱着可能に取り付けて、すりおろしたしょうがを濾過してもよい。その他、構成、作用効果は実施例１と同じである。
【００２２】
図５に示すのは、実施例２のすりおろし機能付きコップの他の例である。図５は実施例２の他の例のすりおろし機能付きコップの一部切欠き側面図である。図中、５ｂは蓋用取っ手である。
【００２３】
図５に示す実施例２の他の例では、蓋５の側面に蓋用取っ手５ｂを張り出すように形成している。この蓋用取っ手５ｂで蓋５の脱着が容易になり、また、実施例１と同じように、すりおろし時に蓋５が滑って動く場合に、蓋５を押えている手の指を蓋用取っ手５ｂに掛けることで静止できる。その他、符号、構成、作用効果は実施例２と同じである。
【産業上の利用可能性】
【００２４】
本考案の技術は、主としてしょうが湯の作製に利用される。また、濾過用ネットはしょうが湯を作製するとき以外は取り付けておき、普段のお茶用の急須としても使用できる。さらに、蓋の小突起は、調理用のにんにくやわさびのすりおろしにも使用でき、一般のすりおろし器の代用にもなる。
【符号の説明】
【００２５】
１  ポット本体
１ａ  容器用取っ手
１ｂ  受け部
１ｃ  注ぎ口
２  蓋
２ａ  小突起
２ｂ  蓋用取っ手
３  フィルター
４  コップ
４ａ  容器用取っ手
５  蓋
５ａ  小突起
５ｂ  蓋用取っ手
【図１】
0003164422.tif 000003
【図２】
0003164422.tif 000004
【図３】
0003164422.tif 000005
【図４】
0003164422.tif 000006
【図５】
0003164422.tif 000007